(57)【特許請求の範囲】
【請求項１】
商用電力系統から住宅に供給される電力を計測する第１計測手段と、
分散型電源によって発電される電力を計測する第２計測手段と、
前記住宅に設置される複数の電気機器それぞれに供給される電力を計測する第３計測手段と、
前記第１乃至第３計測手段の計測結果を示す画像パターンを表示する画面を有する表示手段と、
前記画像パターンを配置するための基準を設定する基準設定手段と、
前記画像パターンを配置するためのルールを設定するルール設定手段と、
前記基準設定手段によって設定された前記基準と、前記ルール設定手段によって設定された前記ルールに基づいて、前記画像パターンを前記表示手段の画面に配置する配置手段と、
前記画像パターンの位置が変更される条件が満たされた場合に、前記画像パターンのうちの第１の画像パターンを、前記第１の画像パターンとは異なる第２の画像パターン上へ移動させる移動手段と、
前記第１の画像パターンが前記第２の画像パターン上に移動されたときに、前記第１の画像パターンと前記第２の画像パターンとが重なった部分の面積を算出する算出手段と、
を備え、
前記配置手段は、前記算出手段によって算出された面積の、前記第１の画像パターンの面積に対する割合が閾値以上の場合に、前記第１の画像パターンを、前記第２の画像パターンが位置していたところに配置するエネルギー管理システム。
【請求項２】
前記基準設定手段は、前記表示手段の前記画面に前記画像パターンの位置を規定するグリッドを設定し、
前記配置手段は、前記グリッドに基づいて、前記画像パターンを配置する請求項１に記載のエネルギー管理システム。
【請求項３】
前記ルール設定手段は、
前記表示手段の前記画面の上方から順に前記画像パターンを配置するための前記ルールを設定する請求項１又は２に記載のエネルギー管理システム。
【請求項４】
前記ルール設定手段は、
前記表示手段の前記画面の左側から順に前記画像パターンを配置するための前記ルールを設定する請求項１乃至３のいずれか一項に記載のエネルギー管理システム。
【請求項５】
前記配置手段は、
前記第１の画像パターンを、前記第２の画像パターンが位置していたところに配置する際に、前記第２の画像パターンを、前記第１の画像パターンが位置していたところに配置する請求項１乃至４のいずれか一項に記載のエネルギー管理システム。
【請求項６】
前記配置手段は、
前記第１の画像パターンを、前記第２の画像パターンが位置していたところに配置する際に、前記第２の画像パターンと、前記第２の画像パターンの下方に配置される第３の画像パターンとを、並び順を変えることなく、下方へ移動する請求項３に記載のエネルギー管理システム。
【請求項７】
前記配置手段は、
前記第１の画像パターンを、前記第２の画像パターンが位置していたところに配置する際に、前記第２の画像パターンと、前記第２の画像パターンから右方向に配置される第３の画像パターンとを、並び順を変えることなく、右方向へ移動する請求項４に記載のエネルギー管理システム。
【請求項８】
前記配置手段は、
前記第１の画像パターンと前記第２の画像パターンとが入れ替わることにより、前記画像パターンの間にブランクが存在する場合には、前記ブランクと大きさが同じ前記画像パターンのいずれかを前記ブランクに配置する請求項１乃至７のいずれか一項に記載のエネルギー管理システム。
【請求項９】
前記画像パターンの位置及び大きさを記憶する記憶手段を備え、
前記配置手段は、前記エネルギー管理システムが起動されたときに、前記記憶手段に記憶された位置及び大きさに基づいて、前記表示手段の前記画面に前記画像パターンを配置する請求項１乃至８のいずれか一項に記載のエネルギー管理システム。
【請求項１０】
ユーザに情報を表示する画面を有する表示手段と、
前記画面に表示される画像を構成する画像パターンを生成する画像パターン生成手段と、
前記画像パターンを配置するための基準を設定する基準設定手段と、
前記画像パターンを配置するためのルールを設定するルール設定手段と、
前記基準設定手段によって設定された前記基準と、前記ルール設定手段によって設定された前記ルールに基づいて、前記画像パターンを前記表示手段の画面に配置する配置手段と、
前記画像パターンの位置が変更される条件が満たされた場合に、前記画像パターンのうちの第１の画像パターンを、前記第１の画像パターンとは異なる第２の画像パターン上へ移動させる移動手段と、
前記第１の画像パターンが前記第２の画像パターン上に移動されたときに、前記第１の画像パターンと前記第２の画像パターンとが重なった部分の面積を算出する算出手段と、
を備え、
前記配置手段は、前記算出手段によって算出された面積の、前記第１の画像パターンの面積に対する割合が閾値以上の場合に、前記第１の画像パターンを、前記第２の画像パターンが位置していたところに配置する表示装置。
【請求項１１】
第１計測手段が、商用電力系統から住宅に供給される電力を計測する工程と、
第２計測手段が、分散型電源によって発電される電力を計測する工程と、
第３計測手段が、前記住宅に設置される複数の電気機器それぞれに供給される電力を計測する工程と、
基準設定手段が、画像パターンを配置するための基準を設定する工程と、
ルール設定手段が、前記画像パターンを配置するためのルールを設定する工程と、
配置手段が、前記基準と、前記ルールに基づいて、前記画像パターンを画面に配置する工程と、
移動手段が、前記画像パターンの位置が変更される条件が満たされた場合に、前記画像パターンのうちの第１の画像パターンを、前記第１の画像パターンとは異なる第２の画像パターン上へ移動させる工程と、
算出手段が、前記第１の画像パターンが前記第２の画像パターン上に移動されたときに、前記第１の画像パターンと前記第２の画像パターンとが重なった部分の面積を算出する工程と、
前記配置手段が、前記算出された面積の、前記第１の画像パターンの面積に対する割合が閾値以上の場合に、前記第１の画像パターンを、前記第２の画像パターンが位置していたところに配置する工程と、
を含む表示方法。
【請求項１２】
コンピュータを、
商用電力系統から住宅に供給される電力を計測する第１計測手段と、分散型電源によって発電される電力を計測する第２計測手段と、前記住宅に設置される複数の電気機器それぞれに供給される電力を計測する第３計測手段の計測結果を示す画像パターンを表示する手段、
前記画像パターンを配置するための基準を設定する手段、
前記画像パターンを配置するためのルールを設定する手段、
前記基準と、前記ルールに基づいて、前記画像パターンを画面に配置する手段、
前記画像パターンの位置が変更される条件が満たされた場合に、前記画像パターンのうちの第１の画像パターンを、前記第１の画像パターンとは異なる第２の画像パターン上へ移動させる手段、
前記第１の画像パターンが前記第２の画像パターン上に移動されたときに、前記第１の画像パターンと前記第２の画像パターンとが重なった部分の面積を算出する手段、
算出された面積の、前記第１の画像パターンの面積に対する割合が閾値以上の場合に、前記第１の画像パターンを、前記第２の画像パターンが位置していたところに配置する手段、
として機能させるためのプログラム。
【発明の詳細な説明】
【技術分野】
【０００１】
本発明は、エネルギー管理システム、表示装置、表示方法及びプログラムに関する。
【背景技術】
【０００２】
携帯電話やスマートホンに代表される通信端末は、プロセッサの進歩により、パーソナルコンピュータと同等の機能を有するに至っている。特に、ＧＵＩ（Graphical User Interface）を備える通信端末は、ユーザに対して、用途に応じたインタフェースを提供することができる。このため、電話以外に、例えば家電機器の操作などに用いられることも想定される。
【０００３】
この種の通信端末のディスプレイは、パソコンなどのディスプレイに比較して小型である。このため、ユーザが要求する情報を適切に表示するための技術が種々提案されている（例えば特許文献１及び２参照）。
【０００４】
特許文献１に開示される装置では、ディスプレイに表示される複数のウインドそれぞれの表示位置とサイズが連動して切り替わる。また、特許文献２に開示される装置では、所定のルールにしたがってウインドのレイアウトが決定され、決定されたレイアウトにしたがってウインドがディスプレイ上に配置される。
【先行技術文献】
【特許文献】
【０００５】
【特許文献１】特開２００３−１８６５９３号公報
【特許文献２】特開２０１２−９８８８２号公報
【発明の概要】
【発明が解決しようとする課題】
【０００６】
特許文献１及び２の装置を用いることで、ユーザによる通信端末の操作性と視認性を両立することができる。しかしながら、通信端末を用いて家電機器を操作する場合には、通信端末の種類に応じてディスプレイのレイアウトを変更しなければ、視認性が低下してしまう場合がある。
【０００７】
本発明は、上述の事情の下になされたもので、住宅に配置される機器を監視するための画面のカスタマイズを容易にすることを目的とする。
【課題を解決するための手段】
【０００８】
上記目的を達成するため、本発明のエネルギー管理システムは、商用電力系統から住宅に供給される電力を計測する第１計測手段と、分散型電源によって発電される電力を計測する第２計測手段と、住宅に設置される複数の電気機器それぞれに供給される電力を計測する第３計測手段と、第１乃至第３計測手段の計測結果を示す画像パターンを表示する画面を有する表示手段と、画像パターンを配置するための基準を設定する基準設定手段と、画像パターンを配置するためのルールを設定するルール設定手段と、基準設定手段によって設定された基準と、ルール設定手段によって設定されたルールに基づいて、画像パターンを表示手段の画面に配置する配置手段と、画像パターンの位置が変更される条件が満たされた場合に、画像パターンのうちの第１の画像パターンを、第１の画像パターンとは異なる第２の画像パターン上へ移動させる移動手段と、第１の画像パターンが第２の画像パターン上に移動されたときに、第１の画像パターンと第２の画像パターンとが重なった部分の面積を算出する算出手段と、を備え、配置手段は、算出手段によって算出された面積の、第１の画像パターンの面積に対する割合が閾値以上の場合に、第１の画像パターンを、第２の画像パターンが位置していたところに配置する。
【発明の効果】
【０００９】
本発明によれば、移動元の画像パターンと移動先の画像パターンとの交換が容易になる。したがって、ユーザは、機器を監視するための画面を容易にカスタマイズすることができる。
【図面の簡単な説明】
【００１０】
【図１】実施の形態１に係るエネルギー管理システムのブロック図である。
【図２】エネルギー管理システムが設置される住宅の概要を示す図である。
【図３】住宅に配置された電気機器と商用電力系統の系統図である。
【図４】通信装置に記憶された情報を模試的に示す図である。
【図５】初期画像を示す図である。
【図６】初期画像を構成する画像パターンを示す図である。
【図７】グリッドを示す図である。
【図８】画像パターンの拡大処理を説明するための図である。
【図９】画像パターンの拡大処理を説明するための図である。
【図１０】画像パターンの移動処理を説明するための図である。
【図１１】画像パターンの拡大処理を説明するための図である。
【図１２】画像パターンの拡大処理を説明するための図である。
【図１３】画像パターンの拡大処理を説明するための図である。
【図１４】画像パターンの拡大処理を説明するための図である。
【図１５】画像パターンの拡大処理を説明するための図である。
【図１６】画像パターンの拡大処理を説明するための図である。
【図１７】画像パターンの配置処理を説明するための図である。
【図１８】画像パターンの配置処理を説明するための図である。
【図１９】画像パターンの移動処理を説明するための図である。
【図２０】画像パターンの移動処理を説明するための図である。
【図２１】画像パターンの移動処理を説明するための図である。
【図２２】画像パターンの移動処理を説明するための図である。
【図２３】画像パターンの移動処理を説明するための図である。
【図２４】画像パターンの移動処理を説明するための図である。
【図２５】画像パターンの移動処理を説明するための図である。
【図２６】画像パターンの移動処理を説明するための図である。
【図２７】画像パターンの移動処理を説明するための図である。
【図２８】画像パターンの大きさを規定する要領を説明するための図である。
【図２９】画像パターンの拡大処理を説明するための図である。
【図３０】グリッドによって規定される領域の順位を説明するための図である。
【図３１】変形例に係る画像パターンの移動処理を説明するための図である。
【図３２】変形例に係る画像パターンの移動処理を説明するための図である。
【図３３】画像パターンを拡大するための制御条件を模式的に示す図である。
【図３４】画像パターンを移動するための制御条件を模式的に示す図である。
【図３５】画像パターンの移動処理を説明するための図である。
【図３６】移動処理の変形例を説明するための図である。
【発明を実施するための形態】
【００１１】
《実施の形態１》
以下、本発明の実施の形態１を図面を参照しつつ説明する。図１は、エネルギー管理システム１１のブロック図である。このエネルギー管理システム１１は、ＨＥＭＳ（home energy management system）などに代表されるように、住宅で使用される電気機器等の監視及び制御に用いられるシステムである。
【００１２】
図２は、エネルギー管理システム１１が設置される住宅１０の概略図である。図２に示されるように、住宅１０は、例えば父親Ｈ１、母親Ｈ２、及び子供Ｈ３等のユーザが居住する戸建て住宅である。この住宅１０は、内部が居室Ｒ１〜Ｒ４と、共用区画Ｘ１に区分されている。本実施の形態では、居室Ｒ１の使用者は主として父親Ｈ１であり、居室Ｒ２の使用者は主として母親Ｈ２であり、居室Ｒ３の使用者は主として子供Ｈ３である。居室Ｒ４は、いわゆるキッチンとリビングが含まれる居室である。この居室Ｒ４は、父親Ｈ１、母親Ｈ２、及び子供Ｈ３が共通に使用する。また、共用区画Ｘ１は、トイレ、風呂、洗面所などを含む区画である。
【００１３】
居室Ｒ１には照明装置３１と空調装置４１が配置され、居室Ｒ２には照明装置３２と空調装置４２が配置され、居室Ｒ３には照明装置３３と空調装置４３が配置されている。そして、居室Ｒ４には、照明装置３４と空調装置４４と調理家電５１が配置され、共用区画Ｘ１には照明装置３５と洗濯乾燥機５２が配置されている。
【００１４】
住宅１０の屋根には発電装置２０が設けられている。発電装置２０は、太陽光を電気エネルギーに変換する太陽光発電装置である。この発電装置２０は、住宅１０の屋根に設置される太陽電池モジュールと、太陽電池モジュールを住宅１０の電力系統に連系させるためのインバータユニットなどを有している。
【００１５】
図３は、住宅１０に配置された電気機器と商用電力系統の系統図である。図３に示されるように、発電装置２０、照明装置３１〜３５、空調装置４１〜４４、調理家電５１、及び洗濯乾燥機５２それぞれは、商用電力系統に並列に接続されている。
【００１６】
エネルギー管理システム１１は、住宅１０に設置された電気機器で消費される電力、発電装置２０によって発電された電力などを、ユーザとしての父親Ｈ１、母親Ｈ２、子供Ｈ３に表示するための装置である。
【００１７】
図１に示されるように、エネルギー管理システム１１は、通信端末１００と、住宅１０で使用される電力を計測するために用いられる電力センサ７１〜８４と、通信端末１００と電力センサ７１〜８４とを接続する通信装置１０８を備えている。
【００１８】
通信端末１００は、スマートホンやタブレット端末のようにユーザによって所持される通信端末である。この通信端末１００は、補助記憶部１０３に記憶されたプログラムを実行する制御部１０１と、制御部１０１の作業領域となる主記憶部１０２と、ユーザからの指令を受け付けるための入力部１０４と、ユーザに種々の情報を表示する表示部１０５と、通信端末及びインターネット１２０に接続されるインタフェース１０６と、上記各部を接続するバス１０７を有している。
【００１９】
制御部１０１は、補助記憶部１０３に記憶されているプログラムに従って、所定の処理を実行する。
【００２０】
主記憶部１０２は、ＲＡＭ（Random Access Memory）等を含んで構成される。制御部１０１に実行されるプログラムは、主記憶部１０２に展開される。
【００２１】
補助記憶部１０３は、磁気ディスク、半導体メモリ等の不揮発性メモリを含んで構成される。この補助記憶部１０３は、制御部１０１が実行するプログラムを記憶している。また、補助記憶部１０３は、電力センサ７１〜８４から出力された計測値を、インタフェース１０６を介して受信して、時系列的に記憶する。
【００２２】
入力部１０４は、タッチパネルや入力キーなどを有している。入力部１０４のタッチパネルは、表示部１０５に重ねて配置され、当該表示部１０５とともにＧＵＩ（Graphical User Interface）１１０を構成する。ユーザからの指令は、入力部１０４を介して入力され、バス１０７を経由して制御部２１に通知される。
【００２３】
表示部１０５は、ＶＲＡＭ、液晶ディスプレイ（Liquid Crystal Display）などから構成されている。表示部１０５は、制御部２１の処理結果などを表示する。
【００２４】
インタフェース１０６は、無線ＬＡＮインタフェースや赤外線通信インタフェースなどを備えている。通信端末１００は、インタフェース１０６を介して、通信装置１０８及びインターネット１２０に接続される。
【００２５】
図３に示されるように、電力センサ７１は、商用電力系統を住宅１０に引き込むための引き込み線に設けられている。この電力センサ７１は、商用電力系統から住宅１０に供給される電力を計測する。そして、計測した電力に応じた値の計測信号Ｓ１を出力する。
【００２６】
電力センサ７２も、電力センサ７１と同様に、商用電力系統を住宅１０に引き込むための引き込み線に設けられている。この電力センサ７２は、住宅１０から商用電力系統に供給される電力を計測する。そして、計測した電力に応じた値の計測信号Ｓ２を出力する。
【００２７】
電力センサ７３は、住宅１０に設置される発電装置２０の発電端に配置されている。そして、発電装置２０によって発電された電力を計測し、計測した電力に応じた値の計測信号Ｓ３を出力する。
【００２８】
電力センサ７４〜８４は、例えば、居室Ｒ１〜Ｒ４、及び共用区画Ｘ１に配置された電気機器が接続されるレセプタクルなどに配置されている。そして、各機器に供給される電力を計測し、計測した電力に応じた値の計測信号Ｓ４〜Ｓ１４を出力する。
【００２９】
エネルギー管理システム１１では、電力センサ７４，７６，７８，８０，８３によって、照明装置３１〜３５に供給される電力、すなわち、照明装置３１〜３５で消費される電力が計測される。また、電力センサ７５，７７，７９，８１によって、空調装置４１〜４４で消費される電力が計測される。そして、電力センサ８２，８４によって、調理家電５１，洗濯乾燥機５２で消費される電力が計測される。
【００３０】
電力センサ７１〜８４から出力される計測信号Ｓ１〜Ｓ１４は、図１に示されるように、通信装置１０８に出力される。
【００３１】
通信装置１０８は、通信端末１００と同様の構成を有するコンピュータである。この通信装置１０８は、住宅１０に設置され、通信端末１００と通信することができる。通信装置１０８と通信端末１００との通信は、通信端末１００を所持するユーザが住宅１０の内部にいるときには直接実行され、通信端末１００を所持するユーザが住宅１０の外部にいるときは、インターネット１２０や、不図示の電話回線網を介して実行される。
【００３２】
通信装置１０８は、電力センサ７１〜８４から出力される計測信号Ｓ１〜Ｓ１４に示される電力Ｐ１（ｔ）〜Ｐ１４（ｔ）を読み出して、時系列的に記憶する。ｔは、補助記憶部１０３に記憶された時刻であり、Ｐｎ（ｔ）は時刻ｔにおける電力Ｐｎを示す。なお、ｎは１から１４までの整数である。
【００３３】
図４は、補助記憶部１０３に記憶された電力Ｐ１（ｔ）〜Ｐ１４（ｔ）を模試的に示す図である。図４に示されるように、電力Ｐ１（ｔ）〜Ｐ１４（ｔ）等は、位置情報、機器情報、及びユーザ情報と関連付けられて時系列的に記憶される。
【００３４】
位置情報は、電力Ｐｎ（ｔ）を出力する電力センサの計測対象が位置する場所を示す。例えば、位置情報「引き込み線」は、電力Ｐ１（ｔ），Ｐ２（ｔ）が引き込み線を通過する電力であることを示す。また、位置情報「発電端」は、電力Ｐ３（ｔ）が、発電装置２０が発電した電力であることを示す。また、位置情報「居室Ｒ１〜Ｒ４」，「共用区画」は、電力Ｐ４（ｔ）〜Ｐ１４（ｔ）が、居室Ｒ１〜Ｒ４、又は共用区画Ｘ１に設置された電気機器によって消費された電力であることを示す。
【００３５】
機器情報は、電力Ｐｎ（ｔ）を出力する電力センサの計測対象を示す。例えば、機器情報「発電装置」は、電力Ｐ３（ｔ）の計測対象が発電装置２０であることを示す。同様に、機器情報「照明装置」は、電力Ｐ４（ｔ），Ｐ６（ｔ），Ｐ８（ｔ），Ｐ１０（ｔ），Ｐ１３（ｔ）の計測対象が照明装置３１〜３５であることを示す。機器情報「空調装置」は、電力Ｐ５（ｔ），Ｐ７（ｔ），Ｐ９（ｔ），Ｐ１１（ｔ）の計測対象が空調装置４１〜４４であることを示す。また、機器情報「調理家電」は、電力Ｐ１２（ｔ）の計測対象が調理家電５１であることを示し、機器情報「洗濯乾燥機」は、電力Ｐ１４（ｔ）の計測対象が洗濯乾燥機５２であることを示す。
【００３６】
次に、上述のように構成されたエネルギー管理システム１１の動作について説明する。通信端末１００にインストールされた所定のプログラムが起動されると、通信端末１００の制御部１０１は、通信装置１０８が記憶する電力Ｐ（ｔ）〜Ｐ１４（ｔ）、及びこれらに関連する位置情報、機器情報等を読み出す。
【００３７】
そして、制御部１０１は、読み出した情報に基づいて、ＧＵＩ１１０に、初期画像ＰＨ１を表示する。図５は、初期画像ＰＨ１の一例を示す図である。初期画像ＰＨ１は、図６に示される８つの画像パターンＰＡ１〜ＰＡ８が、ＧＵＩ１１０の画面に配置されることにより形成される。
【００３８】
図７に示されるように、エネルギー管理システム１１を構成するＧＵＩ１１０の画面には、グリッドＧＤによって、５行４列のマトリクス状に配置される領域Ｍ（ｍ，ｎ）が規定されている。なお、ｍは行を示す１〜５の整数であり、ｎは列を示す１〜４の整数である。上述の画像パターンＰＡ１〜ＰＡ８は、グリッドＧＤを基準に位置及び大きさが規定される。
【００３９】
また、各領域Ｍ（ｍ，ｎ）には、ｍとｎによって規定される順位が付けられている。本実施の形態では、ｍの値が小さいほど順位が高く、ｍの値が大きいほど順位が低くなる。また、各領域Ｍ同士を比較したときに、ｍの値が等しい場合には、ｎの値が大きいほど順位が高く、ｎの値が小さくなるほど順位が低くなる。したがって、各領域Ｍ（ｍ，ｎ）の順位は、図７に示される丸に囲まれた数字で示されるようになる。
【００４０】
図５に示されるように、例えば、画像パターンＰＡ１は、領域Ｍ（１，１）、Ｍ（１，２）、Ｍ（２，１）、Ｍ（２，２）に重なるように形成されている。画像パターンＰＡ２は、領域Ｍ（１，３），Ｍ（１，４）に重なるように形成されている。画像パターンＰＡ３は、領域Ｍ（２，３）に重なるように形成されている。画像パターンＰＡ４は、領域Ｍ（２，４）に重なるように形成されている。画像パターンＰＡ５は、領域Ｍ（３，３）に重なるように形成されている。画像パターンＰＡ６は、領域Ｍ（３，４）に重なるように形成されている。画像パターンＰＡ７は、領域Ｍ（４，３），Ｍ（４，４）に重なるように形成されている。画像パターンＰＡ８は、領域Ｍ（３，１），Ｍ（３，２），Ｍ（４，１），Ｍ（４，２），Ｍ（５，１），Ｍ（５，２）に重なるように形成されている。
【００４１】
一例として、本実施の形態では、画像パターンＰＡ１は、住宅１０で使用された電力量（消費電力量）、住宅１０に設置された発電装置２０によって発電された電力量、商用電力系統から供給される電力の電力量との関係を示す。この画像パターンＰＡ１は、図４に示される計測値Ｐ１（ｔ）〜Ｐ１４（ｔ）に基づいて形成される。
【００４２】
同様に、画像パターンＰＡ２は、現在日時を示す。この画像パターンＰＡ２は、インターネット１２０を介して取得された日時を示す情報に基づいて形成される。画像パターンＰＡ３は、現在の天気、及び将来の天気を示す。この画像パターンＰＡ３は、インターネット１２０を介して提供される天気予報に関する情報に基づいて形成される。画像パターンＰＡ４は、現在の外気温度を示す。この画像パターンＰＡ４は、インターネット１２０を介して提供される天気予報に関する情報に基づいて形成される。画像パターンＰＡ５は、住宅１０で消費される消費電力の瞬時値を示す。この画像パターンＰＡ５は、図４に示される計測値Ｐ４（ｔ）〜Ｐ１４（ｔ）に基づいて形成される。画像パターンＰＡ６は、発電装置２０によって発電される電力の瞬時値を示す。この画像パターンＰＡ６は、図４に示される計測値Ｐ３（ｔ）に基づいて形成される。画像パターンＰＡ７は、発電装置２０によって発電された電力の積算値を示す。この画像パターンＰＡ７は、図４に示される計測値Ｐ３（ｔ）の積分値に基づいて形成される。画像パターンＰＡ８は、住宅１０に設置された電気機器の使用状況を示す。この画像パターンＰＡ８は、住宅１０の間取り図と、図４に示される計測値Ｐ１（ｔ）〜Ｐ１４（ｔ）に基づいて形成される。
【００４３】
制御部１０１は、エネルギー管理システム１１が起動されると、上述した画像パターンＰＡ１〜ＰＡ８を形成し、各画像パターンＰＡ１〜ＰＡ８を順番に配置して、図５に示される初期画像ＰＨ１をＧＵＩ１１０の画面に表示する。
【００４４】
ＧＵＩ１１０の画面に表示される初期画像ＰＨ１は、ユーザによるカスタマイズが可能である。具体的には、ユーザは、各画像パターンＰＡ１〜ＰＡ８の縁をドラッグすることで、各画像パターンＰＡ１〜ＰＡ８の大きさを変更することができる。
【００４５】
〈画像パターンの縮小〉
例えば、図８に示されるように、図中の白抜き矢印にしたがって、画像パターンＰＡ２の右端を左方向へドラッグするか、或いは、画像パターンＰＡ２の左橋を右方向へドラッグすることにより、画像パターンＰＡ２の横幅を小さくすることができる。画像パターンＰＡ２の大きさは、ＧＵＩ１１０のグリッドによって規定され、領域Ｍ（１，３）と領域Ｍ（１，４）の２つの領域Ｍに重なるように形成されている。このため、上記操作によって、画像パターンＰＡ２は、領域Ｍと同等の大きさになる。
【００４６】
また、制御部１０１は、複数の領域Ｍにわたって形成された画像パターンが縮小された場合には、優先順位が高い領域Ｍから順に画像パターンを配置する。例えば、上述のように、領域Ｍ（１，３）と領域Ｍ（１，４）の２つの領域Ｍに重なるように形成されていた画像パターンＰＡ２が縮小された場合には、図９に示されるように、画像パターンＰＡ２は、領域Ｍ（１，４）よりも順位が高い領域Ｍ（１，３）に重なるように配置される。この状態のときには、図９に示されるように、領域Ｍ（１，４）には、画像パターンが配置されないブランクが形成される。
【００４７】
制御部１０１は、縮小された画像パターンＰＡ２の配置が終わると、次に、ブランクが形成された領域Ｍに配置可能な画像パターンが存在するか否かを確認する。具体的には、制御部１０１は、ブランクとなった領域Ｍの次に順位が高い領域Ｍから順位が低い領域Ｍへ順番に、領域Ｍに重なる画像パターンの有無を確認する。そして、領域Ｍに重なる画像パターンが存在する場合には、その画像パターンがブランクに配置可能であるか否かを判断する。
【００４８】
具体的には、図９に示されるように、領域Ｍ（１，４）にブランクが形成された場合には、制御部１０１は、領域Ｍ（１，４）の次に順位の低い領域Ｍ（２，１）に重なる画像パターンＰＡ１が、ブランクに配置可能か否かを判断する。この画像パターンＰＡ１は、４つの領域Ｍにわたって形成されているため、制御部１０１は、画像パターンＰＡ１をブランクに配置できないと判断する。
【００４９】
図９に示されるように、領域Ｍ（２，３）に重なる画像パターンＰＡ３は領域Ｍ（１，４）に形成されたブランクと大きさが等しい。したがって、制御部１０１が上述の処理を繰り返していくと、画像パターンＰＡ３が、領域Ｍ（１，４）に形成されたブランクに配置可能であると判断されることになる。制御部１０１は、画像パターンＰＡ３がブランクに配置可能であると判断すると、画像パターンＰＡ３を、ブランクが形成された領域Ｍ（１，４）に移動させる。
【００５０】
図９に示される状態のときに、画像パターンＰＡ３が領域Ｍ（１，４）に移動した場合には、移動前の画像パターンＰＡ３が位置していた領域Ｍ（２，３）にブランクが形成される。この後、制御部１０１によって、上述と同様の処理が繰り返されることにより、残りのＰＡ４，ＰＡ５，ＰＡ６が、図１０に示されるように、それぞれ領域Ｍ（２，３），Ｍ（２，４），Ｍ（３，３）に移動する。
【００５１】
〈画像パターンの拡大１〉
図１１に示されるように、図中の白抜き矢印にしたがって、画像パターンＰＡ３の右端を右方向にドラッグすることにより、画像パターンＰＡ３の横幅を大きくすることができる。画像パターンＰＡ３の大きさは、ＧＵＩ１１０のグリッドによって規定されるため、図１２に示されるように、画像パターンＰＡ３は、領域Ｍ（２，３）と領域Ｍ（２，４）の２つの領域Ｍに重なるように拡大される。
【００５２】
制御部１０１は、画像パターンＰＡ３を拡大する際に、ＧＵＩ１１０の画面上に画像パターンが配置されていない領域Ｍ、すなわち、ブランクが存在するか否かを判断する。図１１に示されるように、領域Ｍ（５，３），Ｍ（５，４）に画像パターンが配置されていない場合には、制御部１０１は、領域Ｍ（５，３），Ｍ（５，４）にブランクが存在すると判断する。
【００５３】
制御部１０１は、ＧＵＩ１１０の画面にブランクが存在すると判断した場合には、このブランクが存在する領域Ｍの次に順位が低い領域Ｍから順位が高い領域Ｍへ順番に、領域Ｍに重なる画像パターンの有無を確認する。そして、領域Ｍに重なる画像パターンが存在する場合には、その画像パターンがブランクに配置可能であるか否かを判断する。
【００５４】
具体的には、図１１に示されるように、領域Ｍ（５，３），Ｍ（５，４）にブランクが形成されている場合には、制御部１０１は、領域Ｍ（５，３）の次に順位が低い領域Ｍ（５，２）に重なる画像パターンＰＡ８が、ブランクに配置可能か否かを判断する。この画像パターンＰＡ８は、６つの領域Ｍにわたって形成されているため、制御部１０１は、画像パターンＰＡ８をブランクに配置できないと判断する。
【００５５】
図１１に示されるように、領域Ｍ（４，３）に重なる画像パターンＰＡ７は、領域Ｍ（５，３），Ｍ（５，４）に形成されたブランクと大きさが等しい。したがって、制御部１０１が、上述の処理を繰り返していくと、画像パターンＰＡ７が、領域Ｍ（５，３），Ｍ（５，４）に形成されたブランクに配置可能であると判断されることになる。制御部１０１は、画像パターンＰＡ７がブランクに配置可能であると判断すると、画像パターンＰＡ７を、図１２に示されるように、ブランクが形成された領域Ｍ（５，３），Ｍ（５，４）に移動させる。
【００５６】
図１１に示される状態のときに、画像パターンＰＡ７が領域Ｍ（５，３），Ｍ（５，４）に移動した場合には、移動前の画像パターンＰＡ７が位置していた領域Ｍ（４，４），Ｍ（４，４）にブランクが形成される。この後、制御部１０１によって、上述と同様の処理が繰り返されることにより、残りのＰＡ４，ＰＡ５，ＰＡ６が、図１２に示されるように、それぞれ領域Ｍ（３，３），Ｍ（３，４），Ｍ（４，３）に移動する。このとき、領域Ｍ（３，３），Ｍ（３，４），Ｍ（４，３），Ｍ（４，４）のうち最も順位が低い領域Ｍ（４，４）にブランクが形成される。
【００５７】
〈画像パターンの拡大２〉
一番右に位置する画像パターンについても拡大することができる。例えば、図１３に示されるように、図中の白抜き矢印にしたがって、画像パターンＰＡ６の右端を右方向にドラッグすることにより、その横幅を大きくすることができる。
【００５８】
制御部１０１は、画像パターンＰＡ６を拡大する際に、ＧＵＩ１１０の画面上に画像パターンが配置されていない領域Ｍ、すなわち、ブランクが存在するか否かを判断する。図１３に示されるように、領域Ｍ（５，３），Ｍ（５，４）に画像パターンが配置されていない場合には、制御部１０１は、領域Ｍ（５，３），Ｍ（５，４）にブランクが存在すると判断する。そして、制御部１０１は、図１４に示されるように、領域Ｍ（５，３），Ｍ（５，４）に画像パターンＰＡ７を移動するとともに、画像パターンＰＡ６を、領域Ｍ（４，３），Ｍ（４，４）へ移動する。
【００５９】
〈画像パターンの拡大３〉
なお、画像パターンを拡大する場合において、当該画像パターンが配置される領域Ｍより順位が下の領域に配置された画像パターンを移動するブランクがない場合には、最も順位が低い領域に重なる画像パターンが消去される。
【００６０】
例えば、図１５に示される状態のときに、画像パターンＰＡ４が拡大された場合には、画像パターンＰＡ５〜ＰＡ８を移動したとしても、拡大された画像パターンＰＡ４を配置することができない。このような場合には、制御部１０１は、画像パターンＰＡ４を配置するのに必要なブランクを形成するために、順位が低い領域Ｍから順位が高い領域Ｍへの順番に、領域Ｍに重なる画像パターンを消去していき、画像パターンの配置に必要なブランクを確保する。
【００６１】
具体的には、図１５の白抜き矢印にしたがって、画像パターンＰＡ４が拡大された場合には、制御部１０１は、図１６に示されるように、画像パターンＰＡ７を消去することで領域Ｍ（５，３），Ｍ（５，４）にブランクを形成し、当該領域Ｍ（５，３），Ｍ（５，４）に画像パターンＰＡ６を移動する。そして、画像パターンＰＡ６が移動することにより形成されるブランクが位置する領域Ｍ（４，３），Ｍ（４，４）のうち、順位が高い方の領域Ｍ（４，３）に、画像パターンＰＡ５を移動し、画像パターンＰＡ５の移動により形成されたブランクが位置する領域Ｍ（３，３），Ｍ（３，４）に、拡大された画像パターンＰＡ４を移動させる。
【００６２】
逆に、図１６に示される、拡大された画像パターンＰＡ４が、縮小されたときには、図１５に示されるように、制御部１０１は、一旦消去された画像パターンＰＡ７を復帰させる。
【００６３】
また、制御部１０１は、順位の高い領域Ｍから順位の低い領域Ｍへ順番にみたときに、図１６に示されるように、画像パターンと画像パターンとの間にブランクが存在する場合には、このブランクが形成される領域Ｍに、他の画像パターンを配置することとしてもよい。具体的には、領域Ｍ（２，４）にブランクが形成されている場合には、図１７に示されるように、当該ブランクと大きさが同じ画像パターンＰＡ５を、領域Ｍ（２，４）へ移動させることとしてもよい。或いは、図１８に示されるように、ブランクが形成されている領域Ｍ（２，４），Ｍ（４，４）に、別の画像パターンＰＡ９，ＰＡ１０を配置することとしてもよい。これにより、画面の視認性及びデザイン性を向上させることができる。
【００６４】
〈画像パターンの移動〉
図１９に示されるように、例えば、画像パターンＰＡ３を白抜き矢印にしたがって、ドラッグすることにより、画像パターンＰＡ３を移動させることができる。移動された画像パターンの移動先が、当該画像パターンと同じ大きさのブランクである場合には、制御部１０１は、画像パターンを、ブランクが形成された領域Ｍに移動する。
【００６５】
一方、画像パターンの移動先に別の移動パターンが位置しているときには、移動元の画像パターンと移動先の画像パターンとが重なった部分の面積が、移動元の画像パターンの面積の所定の割合以上になった場合、制御部１０１は、移動元の画像パターンと移動先の画像パターンを入れ替える。
【００６６】
例えば、図１９の白抜き矢印にしたがって、移動元の画像パターンＰＡ３を、移動先の画像パターンＰＡ４に重なるようにドラッグしたときには、制御部１０１は、画像パターンＰＡ３と画像パターンＰＡ４とが重なった部分の面積を算出し、算出した面積が、移動元の画像パターンＰＡ３の面積の５０％以上になった場合、図２０に示されるように、画像パターンＰＡ３と画像パターンＰＡ４とを入れ替える。
【００６７】
図２１の白抜き矢印にしたがって、画像パターンＰＡ３を、画像パターンＰＡ２に重なるようにドラッグした場合、制御部１０１は、画像パターンＰＡ３と画像パターンＰＡ２とが重なった部分の面積が、移動元の画像パターンＰＡ３の面積の５０％以上になった場合、図２２に示されるように、画像パターンＰＡ３と画像パターンＰＡ２とを入れ替える。
【００６８】
この場合には、図２２に示されるように、制御部１０１は、画像パターンＰＡ３が位置していた領域Ｍ（２，３）より順位が低い領域Ｍに位置する画像パターンＰＡ４，ＰＡ５，ＰＡ６，ＰＡ７を、上述した要領で移動させることにより、領域Ｍ（２，４）にブランクを形成する。そして、画像パターンＰＡ３が移動することにより形成されたブランクと、画像パターンＰＡ４，ＰＡ５，ＰＡ６，ＰＡ７を移動させることにより形成されたブランクとが位置する領域Ｍ（２，３），Ｍ（２，４）にわたって、画像パターンＰＡ２を配置する。
【００６９】
画像パターンＰＡ２を移動すると、図２２に示されるように、領域Ｍ（１，４）にブランクが形成される。この場合、制御部１０１は、ブランクと同じ大きさの領域Ｍ（３，３），Ｍ（３，４），Ｍ（４，３）のうち、最も順位が高い領域Ｍ（３，３）に位置する画像パターンＰＡ４を、領域Ｍ（１，４）へ移動する。そして、領域Ｍ（３，４）に位置する画像パターンＰＡ５と、領域Ｍ（４，３）に位置する画像パターンＰＡ６を、それぞれ領域Ｍ（３，３）、Ｍ（３，４）へ移動する。次に、制御部１０１は、画像パターンＮＰ４〜ＭＰ６を移動させることにより、ブランクが形成される領域Ｍ（４，３），Ｍ（４，４）に、画像パターンＰＡ７を移動させる。これにより、画像パターンＰＡ２〜ＰＡ７は、図２３に示されるように、隙間なく、かつ、見栄えよく配置される。
【００７０】
図２４の白抜き矢印にしたがって、画像パターンＰＡ２を、画像パターンＰＡ３，ＰＡ４に重なるようにドラッグしたときには、制御部１０１は、画像パターンＰＡ２と画像パターンＰＡ３，ＰＡ４とが重なった部分の面積が、移動元の画像パターンＰＡ２の面積の５０％以上になった場合、図２５に示されるように、画像パターンＰＡ２と画像パターンＰＡ３，ＰＡ４とを入れ替える。
【００７１】
同様に、図２６の白抜き矢印にしたがって、画像パターンＰＡ２を、画像パターンＰＡ３，ＰＡ４を超えて、画像パターンＰＡ５，ＰＡ６に重なるようにドラッグした場合、制御部１０１は、画像パターンＰＡ２と画像パターンＰＡ５，ＰＡ６とが重なった部分の面積が、移動元の画像パターンＰＡ２の面積の５０％以上になった場合、図２７に示されるように、画像パターンＰＡ３，ＰＡ４をそのままに、画像パターンＰＡ２と画像パターンＰＡ３，ＰＡ４とを入れ替える。
【００７２】
以上説明したように、本実施の形態では、通信端末１００の画面に表示される画像を構成する画像パターンの大きさ及び位置が、画面に設定されるグリッドＧＤに基づいて規定される。このため、画像パターンＡＰ１〜ＡＰ８のサイズの変更や位置決めを、画面全体の視認性を維持しつつ、容易に行うことができる。これにより、エネルギー管理システム１１のユーザは、通信端末１００を構成するＧＵＩ１１０の画面を自分にあった画面にカスタマイズすることで、住宅１０でのエネルギーの使用状況をストレスなく確認することが可能となる。
【００７３】
本実施の形態では、図７に示されるように、表示部１０５の画面に、グリッドＧＤが設定され、このグリッドＧＤよって示される領域に順位が設けられている。このため、ユーザによって画像パターンＰＡ１〜ＰＡ８が拡大されたり、移動された場合には、画像パターンＰＡ１〜ＰＡ８が位置する領域の順位にしたがって、画像パターンＰＡ１〜ＰＡ８が自動的に再配置される。このため、ユーザは、必要最小限の操作によって、表示部１０５に表示される画像をカスタマイズすることができる。これにより、住宅１０でのエネルギーの使用状況をストレスなく確認することが可能となる。
【００７４】
なお、本実施の形態では、各画像パターンＰＡ１〜ＰＡ８の大きさがグリッドによって規定されることとした。これに限らず、例えば、図２８に示されるように、各画像パターンＰＡ１〜ＰＡ８のサイズが、予め定められた大きさに遷移することとしてもよい。この場合にも、各画像パターンＰＡ１〜ＰＡ８の大きさが、グリッドによって規定されるときと同様に遷移する。したがって、画像パターンＰＡ１〜ＰＡ８のサイズの変更や位置決めを、画面全体の視認性を維持しつつ行うことができる。
【００７５】
本実施の形態では、図８，１１，１３，１５に示されるように、画像パターンＰＡ１〜ＰＡ８が横方向に縮小或いは拡大される場合について説明した。これに限らず、画像パターンＰＡ１〜ＰＡ８は、一例として、図２９に示される画像パターンＰＡ５のように、縦方向に縮小或いは拡大することも可能である。この場合には、図３０に示されるように、領域Ｍ（ｍ，ｎ）の順位を、列を基準に設定することが考えられる。図３０に示される各領域Ｍは、ｎの値が小さいほど順位が高く、ｎの値が大きいほど順位が低くなる。また、各領域Ｍ同士を比較したときに、ｎの値が等しい場合には、ｍの値が大きいほど順位が高く、ｍの値が小さくなるほど順位が低くなる。
【００７６】
本実施の形態では、制御部１０１が、移動元の画像パターンと移動先の画像パターンとが重なった部分の面積を算出し、算出した面積が、移動元の画像パターンの面積の５０％以上になった場合に、移動元の画像パターンと移動先の画像パターンとを入れ替えることとした。これに限らず、画像パターン同士を入れ替えるときの指標となる、重なった面積の割合については、任意に設定することができる。
【００７７】
《変形例１》
次に、本実施の形態の変形例について説明する。上記実施の形態１に係るエネルギー管理システムでは、例えば、図２６，２７等に示されるように、画像パターンがドラッグされて、当該移動元の画像パターンが移動元の画像パターンと重なった場合に、移動元の画像パターンと移動先の画像パターンが入れ替わることとした。本変形例に係るエネルギー管理システムでは、画像パターンがドラッグされて、当該移動元の画像パターンが移動元の画像パターンと重なった場合に、移動先の画像パターンが、順位の低い領域Ｍに移動する。以下変形例に係るエネルギー管理システムについて説明する。
【００７８】
例えば、図３１の白抜き矢印にしたがって、移動元の画像パターンＰＡ７を、移動先の画像パターンＰＡ２に重なるようにドラッグしたときには、制御部１０１は、画像パターンＰＡ７と画像パターンＰＡ２とが重なった部分の面積を算出する。そして、算出した面積が移動元の画像パターンＰＡ７の面積の５０％以上になった場合、制御部１０１は、図３２に示されるように、移動元の画像パターンＰＡ２と、当該画像パターンＰＡ２が位置する領域Ｍ（１，３），Ｍ（１，４）より順位が低い領域に位置する画像パターンＰＡ３〜ＰＡ６とを、並び順を変えることなく、それぞれ、順位が低い領域Ｍに移動させる。次に、制御部１０１は、画像パターンＰＡ２〜ＰＡ６を移動させることにより、ブランクが形成される領域Ｍ（１，３），Ｍ（１，４）に、画像パターンＰＡ７を配置する。
【００７９】
変形例に係るエネルギー管理システム１１においても、ユーザによって画像パターンＰＡ１〜ＰＡ８が移動された場合には、画像パターンＰＡ１〜ＰＡ８が位置する領域の優先順位にしたがって、画像パターンＰＡ１〜ＰＡ８が自動的に再配置される。このため、ユーザは、必要最小限の操作によって、表示部１０５に表示される画像をカスタマイズすることができる。これにより、住宅１０でのエネルギーの使用状況をストレスなく確認することが可能となる。
【００８０】
なお、上記変形例では、並び順を変えることなく、画像パターンを下方へ移動させたが、右方向へ移動させてもよい。
【００８１】
《実施の形態２》
次に、本発明の実施の形態２を図面を参照しつつ説明する。なお、実施の形態１と同一又は同等の構成については、同等の符号を用いるとともに、その説明を省略又は簡略する。
【００８２】
本実施の形態に係るエネルギー管理システム１１は、所定の条件が成立した場合に、表示部１０５に表示される画像パターンが自動的に拡大される点で、実施の形態１に係るエネルギー管理システム１１と相違する。以下、本実施の形態に係るエネルギー管理システム１１について説明する。
【００８３】
図３３は、画像パターンを拡大するための制御条件を模式的に示す図である。図３３に示されるように、制御条件は、画像パターンを自動拡大することが可能か否かを示す項目、画像パターンを自動縮小することが可能か否かを示す項目、画像パターンを自動拡大するときの条件、画像パターンを自動縮小するときの条件、からなる。
【００８４】
本実施の形態では、自動拡大条件が満たされたときには、自動拡大の項目が「可」である画像パターンＰＡ５，ＰＡ６が、制御部１０１によって自動的に拡大される。例えば、画像パターンＰＡ５は、住宅１０で消費される電力が基準値以上になった場合に、幅が２倍に拡大される。そして、画像パターンＰＡ６は、発電装置２０によって発電された電力が基準値以上になった場合に、幅が２倍に拡大される。
【００８５】
また、自動縮小条件が満たされたときには、自動縮小の項目が「可」である画像パターンＰＡ６，ＰＡ７が、制御部１０１によって自動的に縮小される。例えば、画像パターンＰＡ６は、住宅１０で消費される電力が基準値未満になった場合に、幅が縮小される。そして、画像パターンＰＡ７は、積算電力量が月の変わりや、リセットされることにより基準値未満になった場合に、幅が縮小される。
【００８６】
制御部１０１は、通信装置１０８から取得した電力Ｐ１（ｔ）〜Ｐ１４（ｔ）に基づいて、画像パターンＰＡ５〜ＰＡ７についての拡大条件及び縮小条件が満たされているか否かを監視し、条件が満たされた場合には、画像パターンＰＡ５〜ＰＡ７を拡大或いは縮小させる。
【００８７】
例えば、制御部１０１は、電力Ｐ３（ｔ）に基づいて、発電装置２０の発電電力が、基準値以上になったと判断したら、図１３に示される大きさの画像パターンＰＡ６の幅を２倍に拡大する。同時に、図１４に示されるように、領域Ｍ（５，３），Ｍ（５，４）に画像パターンＰＡ７を移動するとともに、画像パターンＰＡ６を、領域Ｍ（４，３），Ｍ（４，４）へ移動する。上述のように、画像パターンＰＡ６が拡大されると、画像パターンＰＡ６がユーザの目にとまりやすくなり、ユーザは、発電装置２０の出力が大きく変化したこと容易に認識することが可能となる。
【００８８】
また、制御部１０１は、電力Ｐ３（ｔ）に基づいて、発電装置２０の発電電力が、基準値未満になったと判断したら、図１４に示される大きさの画像パターンＰＡ６の幅を縮小し、図１３に示されるように、ブランクが形成された領域Ｍ（３，４）に移動する。そして、制御部１０１は、画像パターンＰＡ６を移動させることにより、ブランクが形成された領域Ｍ（４，３），Ｍ（４，４）に、画像パターンＰＡ７を移動させる。
【００８９】
以上説明したように、本実施の形態では、予め画像パターンが自動的に拡大する条件及び縮小する条件が設定されている。このため、住宅１０に設置された機器の動作に応じて、関連する画像パターンが拡大される。これにより、住宅１０に設置された電気機器の動作に応じて、所望の情報をユーザに対して強調表示することが可能となる。
【００９０】
なお、画像パターンが自動拡大する条件、及び自動縮小できる条件は、入力部１０４を介して、ユーザによって変更することが可能であってもよい。これにより、ＧＵＩ１１０のカスタマイズの自由度が広くなり、ユーザにとって使い勝手のよいインタフェースを提供することが可能となる。
【００９１】
本実施の形態では、一例として、発電装置２０の出力が変化すると、画像パターンＰＡ６の大きさが自動的に拡大され、或いは縮小される場合について説明した。本発明はこれに限定されるものではなく、例えば、住宅１０に設置される電気機器の運転状態や、設定温度を示す画像パターンを、表示部１０５に表示し、当該電気機器が故障した場合等に、当該画像パターンを拡大することとしてもよい。
【００９２】
《実施の形態３》
次に、本発明の実施の形態３を図面を参照しつつ説明する。なお、上記実施の形態と同一又は同等の構成については、同等の符号を用いるとともに、その説明を省略又は簡略する。
【００９３】
本実施の形態に係るエネルギー管理システム１１は、所定の条件が成立した場合に、表示部１０５に表示される画像パターンが自動的に移動する点で、上記実施の形態に係るエネルギー管理システム１１と相違する。以下、本実施の形態に係るエネルギー管理システム１１について説明する。
【００９４】
図３４は、画像パターンを移動するための制御条件を模式的に示す図である。図３４に示されるように、制御条件は、画像パターンを自動移動することが可能か否かを示す項目、移動した画像パターンを自動復帰させることが可能か否かを示す項目、画像パターンを自動移動するときの条件、画像パターンを自動復帰するときの条件、からなる。
【００９５】
本実施の形態では、自動移動の条件が満たされたときには、自動移動の項目が「可」である画像パターンＰＡ５，ＰＡ６が、制御部１０１によって自動的に移動される。例えば、画像パターンＰＡ５は、住宅１０で消費される電力が基準値以上になった場合に、その列の一番上の領域Ｍに移動される。そして、画像パターンＰＡ６は、発電装置２０によって発電された電力が基準値以上になった場合に、その列の一番上の領域Ｍに移動される。
【００９６】
また、自動復帰条件が満たされたときには、自動復帰の項目が「可」である画像パターンＰＡ６が、制御部１０１によって、移動する前の領域Ｍに自動的に戻されることにより復帰する。例えば、画像パターンＰＡ６は、住宅１０で消費される電力が基準値未満になった場合に、移動前の領域Ｍに復帰する。
【００９７】
制御部１０１は、通信装置１０８から取得した電力Ｐ１（ｔ）〜Ｐ１４（ｔ）に基づいて、画像パターンＰＡ５〜ＰＡ８についての拡大条件及び縮小条件が満たされているか否かを監視し、条件が満たされた場合には、当該条件に応じて画像パターンＰＡ５〜ＰＡ８を移動或いは復帰させる。
【００９８】
例えば、制御部１０１は、電力Ｐ３（ｔ）に基づいて、発電装置２０の発電電力が、基準値以上になったと判断したら、図５に示される画像パターンＰＡ６を、図３５に示されるように、上述した要領で、領域Ｍ（１，３）に移動し、残りの画像パターンＰＡ２，ＰＡ３，ＰＡ４，ＰＡ５，ＰＡ７を、それぞれ、順位が低い領域Ｍ（２，３），Ｍ（２，４），Ｍ（３，３），Ｍ（３，４），Ｍ（４，３），Ｍ（５，３），Ｍ（５，４）へ移動する。上述のように、画像パターンＰＡ６が、一番上に移動されると、画像パターンＰＡ６がユーザの目にとまりやすくなり、ユーザは、発電装置２０の出力が大きく変化したこと容易に認識することが可能となる。
【００９９】
また、制御部１０１は、電力Ｐ３（ｔ）に基づいて、発電装置２０の発電電力が、基準値未満になったと判断したら、図３５に示される大きさの画像パターンＰＡ６を、図５に示されるように、移動前に位置していた領域Ｍ（３，４）へ戻す。
【０１００】
以上説明したように、本実施の形態では、予め画像パターンが自動的に移動する条件及び復帰する条件が設定されている。このため、住宅１０に設置された機器の動作に応じて、関連する画像パターンが、ユーザの目につきやすい位置へ移動される。これにより、住宅１０に設置された電気機器の動作に応じて、所望の情報をユーザに対して強調表示することが可能となる。
【０１０１】
なお、画像パターンが移動する条件、及び復帰する条件は、入力部１０４を介して、ユーザによって変更することが可能であってもよい。これにより、ＧＵＩ１１０のカスタマイズの自由度が広くなり、ユーザにとって使い勝手のよいインタフェースを提供することが可能となる。
【０１０２】
本実施の形態では、一例として、発電装置２０の出力が変化すると、画像パターンＰＡ６が移動する場合について説明した。本発明はこれに限定されるものではなく、例えば、住宅１０に設置される電気機器の運転状態や、設定温度を示す画像パターンを、表示部１０５に表示し、当該電気機器が故障した場合等に、当該画像パターンを移動させることとしてもよい。
【０１０３】
本実施の形態では、画像パターンＰＡ６が移動した場合に、残りの画像パターンＰＡ２，ＰＡ３，ＰＡ４，ＰＡ５，ＰＡ７を、それぞれ、順位が低い領域Ｍ（２，３），Ｍ（２，４），Ｍ（３，３），Ｍ（３，４），Ｍ（４，３），Ｍ（５，３），Ｍ（５，４）へ移動することとした。これに限らず、図３６に示されるように、移動元の画像パターンＰＡ６と移動先の画像パターンＰＡ２とを入れ替えることとしてもよい。
【０１０４】
以上、本発明の実施の形態について説明したが、本発明は上記実施の形態によって限定されるものではない。例えば、通信端末１００では、プログラムが起動されたときに、表示部１０５に、初期画像ＰＨ１を表示することとした。これに限らず、初期画像ＰＨ１を構成する画像パターンＰＡ１〜ＰＡ８の大きさや位置がユーザによってカスタマイズされた場合には、各画像パターンＰＡ１〜ＰＡ８の大きさや、表示位置についての情報（レイアウト情報）を、補助記憶部１０３に記憶しておき、当該記憶されたレイアウト情報に基づいて、画像パターンＰＡ１〜ＰＡ８からなる画像を、初期画像として表示部１０５に表示することとしてもよい。
【０１０５】
上記実施の形態及び変形例では、表示部１０５に表示される画像が、画像パターンＰＡ１〜ＰＡ８等によって形成される場合について説明した。これに限らず表示部１０５に表示される画像は、上記画像パターンＰＡ１〜ＰＡ８以外の画像パターンから形成されてもよい。例えば、住宅１０に設置される、照明装置３１〜３の使用状況、空調装置４１〜４４の運転状態や設定温度、調理家電５１及び洗濯乾燥機５２の使用状態など、種々の情報を示す画像パターンを用いて、表示部１０５に表示される画像を形成することとしてもよい。この場合、通信端末１００は、住宅１０に設置される各電気機器の情報を、例えばインターネット１２０を介した、通信端末１００と各電気機器との通信によって、取得することが考えられる。
【０１０６】
上記実施の形態に係るエネルギー管理システム１１の機能は、専用のハードウェアによっても、また、通常のコンピュータを用いても実現することができる。
【０１０７】
補助記憶部に記憶されているプログラムは、フレキシブルディスク、ＣＤ−ＲＯＭ（Compact Disk Read-Only Memory）、ＤＶＤ（Digital Versatile Disk）、ＭＯ（Magnet-Optical Disk）等のコンピュータ読み取り可能な記録媒体に格納して配布され、コンピュータにインストールされたものであってもよい。
【０１０８】
また、プログラムは、通常インターネット等の通信ネットワーク上の所定のサーバ装置が有するディスク装置等に格納されており、必要に応じてダウンロードされたものであってもよい。
【０１０９】
本発明は、本発明の広義の精神と範囲を逸脱することなく、様々な実施の形態及び変形が可能とされるものである。また、上述した実施の形態は、本発明を説明するためのものであり、本発明の範囲を限定するものではない。つまり、本発明の範囲は、実施の形態ではなく、特許請求の範囲によって示される。そして、特許請求の範囲内及びそれと同等の発明の意義の範囲内で施される様々な変形が、本発明の範囲内とみなされる。
【産業上の利用可能性】
【０１１０】
本発明のエネルギー管理システム、は住宅で消費されるエネルギーの管理に適している。本発明の表示装置、表示方法及びプログラムは、電気機器についての情報の表示に適している。
【符号の説明】
【０１１１】
１０  住宅、１１  エネルギー管理システム、２０  発電装置、２１  制御部、３１〜３５  照明装置、４１〜４４  空調装置、５１  調理家電、５２  洗濯乾燥機、７１〜８４  電力センサ、１００  通信端末、１０１  制御部、１０２  主記憶部、１０３  補助記憶部、１０４  入力部、１０５  表示部、１０６  インタフェース、１０７  バス、１０８  通信装置、１１０  ＧＵＩ、１２０  インターネット、ＧＤ  グリッド、Ｈ１  父親、Ｈ２  母親、Ｈ３  子供、Ｍ  領域、ＰＨ１  初期画像、ＰＡ１〜ＰＡ１０  画像パターン、Ｒ１〜Ｒ４  居室、Ｓ１〜Ｓ１４  計測信号、Ｘ１  共用区画。
【図１】
0005875556.tif 000002
【図２】
0005875556.tif 000003
【図３】
0005875556.tif 000004
【図４】
0005875556.tif 000005
【図５】
0005875556.tif 000006
【図６】
0005875556.tif 000007
【図７】
0005875556.tif 000008
【図８】
0005875556.tif 000009
【図９】
0005875556.tif 000010
【図１０】
0005875556.tif 000011
【図１１】
0005875556.tif 000012
【図１２】
0005875556.tif 000013
【図１３】
0005875556.tif 000014
【図１４】
0005875556.tif 000015
【図１５】
0005875556.tif 000016
【図１６】
0005875556.tif 000017
【図１７】
0005875556.tif 000018
【図１８】
0005875556.tif 000019
【図１９】
0005875556.tif 000020
【図２０】
0005875556.tif 000021
【図２１】
0005875556.tif 000022
【図２２】
0005875556.tif 000023
【図２３】
0005875556.tif 000024
【図２４】
0005875556.tif 000025
【図２５】
0005875556.tif 000026
【図２６】
0005875556.tif 000027
【図２７】
0005875556.tif 000028
【図２８】
0005875556.tif 000029
【図２９】
0005875556.tif 000030
【図３０】
0005875556.tif 000031
【図３１】
0005875556.tif 000032
【図３２】
0005875556.tif 000033
【図３３】
0005875556.tif 000034
【図３４】
0005875556.tif 000035
【図３５】
0005875556.tif 000036
【図３６】
0005875556.tif 000037